(57)【要約】【課題】肌に触れる部分が布で出来ていて、洗いやすく、乾きやすく、洗濯中などの理由で履けなくなった時に必要となる予備がスマートに収納できるスリッパを提供することを課題とする。【解決手段】以上の課題を解決するために、前開きスリッパＡに存在する布の部分Ｂを着脱交換可能にした。【選択図】図１
2019188102.tif 000002
【特許請求の範囲】
【請求項１】
前開きスリッパに存在する布の部分の着脱交換を可能にし、布の部分は布製であって布以外の素材も使用されていて、布の部分の形状は、中敷きに加えてスリッパの甲の裏面から表面にかけて包むように覆う形状を持っていて、スリッパの履き口とつま先側の口をそれぞれ包むように覆った布の部分をスリッパの甲の表面でファスナーなどの留め具を使用して固定することで、スリッパの甲とそれを覆った布の部分が密着した状態になってズレにくくなり、中敷きもズレにくくなることを特徴とするスリッパである。
【請求項２】
前開きスリッパに適合する着脱交換を可能にした布の部分で、布の部分は布製であって布以外の素材も使用されていて、布の部分の形状は、中敷きに加えてスリッパの甲の裏面から表面にかけて包むように覆う形状を持っていて、スリッパの履き口とつま先側の口をそれぞれ包むように覆った布の部分をスリッパの甲の表面でファスナーなどの留め具を使用して固定することで、スリッパの甲とそれを覆った布の部分が密着した状態になってズレにくくなり、中敷きもズレにくくなることを特徴とする布の部分である。
【発明の詳細な説明】
【技術分野】
【０００１】  この発明は、スリッパと中敷きの形状に関する。
【背景技術】
【０００２】  従来のスリッパでよく見かけられるのは、布製のスリッパで、布で覆われた甲５とクッションで作られた内側の底６とビニールなどの防水素材で作られた底裏７が一体化した製品である。他の製品としては、樹脂やプラスチックなどの防水素材のみで作られたものや、布地とクッションだけで作られた防水部分が無いものがある。また、中敷き８を取り外せるものもある。
【先行技術文献】
【特許文献】
【０００３】
【特許文献１】特開２００１−９２８０７号公報
【発明の概要】
【発明が解決しようとする課題】
【０００４】  しかしながら、同じスリッパを素足で毎日使用していると、汗による汚れが気になってくる。汗や埃が付着した布製のスリッパを放っておくと、カビやダニの発生が起こることがある。しかし、防水素材で作られた底裏を持つスリッパは、防水部分が空気を通さないので洗った後に乾きにくい。布地とクッションだけで作られた防水部分が無いスリッパは、洗っても乾きやすいが、床に落ちた液体を踏んだ時にスリッパ本体に液体が染み込んでくる。また、どちらのスリッパにおいても、床の汚れが付着したスリッパを他の洗濯物と同時に洗濯機で洗うことに抵抗感がある人には洗いにくいものである。また、洗濯中には履けなくなるので予備が必要になるが、そのスリッパを収納するための場所を取られる。樹脂やプラスチックなどの防水素材のみで作られた製品については、手洗いをしなければならず、洗った後にタオル等で水気を取ることは出来るが、汗を吸い取らないことと肌触りの面において布製のスリッパを求める人も多い。また、中敷きを取り外せる製品については、中敷きを取り外して洗えるが手洗いをしなければならないものが多く、中敷きを洗っても甲の内側の汚れが気になる。【０００５】  そこで、本発明は、肌に触れる部分が布で出来ていて、洗いやすく、乾きやすく、洗濯中などの理由で履けなくなった時に必要となる予備が従来よりもスマートに収納できるスリッパを提供することを課題とする。
【課題を解決するための手段】
【０００６】  以上の課題を解決するために、第一発明は、前開きスリッパに存在する布の部分の着脱交換を可能にし、布の部分は布製であって布以外の素材も使用されていて、布の部分の形状は、中敷きに加えてスリッパの甲の裏面から表面にかけて包むように覆う形状を持っていて、スリッパの履き口とつま先側の口をそれぞれ包むように覆った布の部分をスリッパの甲の表面でファスナーなどの留め具を使用して固定することで、スリッパの甲とそれを覆った布の部分が密着した状態になってズレにくくなり、中敷きもズレにくくなることを特徴とするスリッパである。【０００７】  また、第二発明は、前開きスリッパに適合する着脱交換を可能にした布の部分で、布の部分は布製であって布以外の素材も使用されていて、布の部分の形状は、中敷きに加えてスリッパの甲の裏面から表面にかけて包むように覆う形状を持っていて、スリッパの履き口とつま先側の口をそれぞれ包むように覆った布の部分をスリッパの甲の表面でファスナーなどの留め具を使用して固定することで、スリッパの甲とそれを覆った布の部分が密着した状態になってズレにくくなり、中敷きもズレにくくなることを特徴とする布の部分である。
【発明の効果】
【０００８】  第一発明によれば、前開きスリッパに存在する布の部分の着脱交換が可能なので、スリッパのうち布の部分だけが洗濯出来て、肌に接する中敷きと甲の内側の汗の汚れを落とすことが出来る。従来のようにスリッパ全体を洗うよりも乾きやすく、床の汚れが付着したスリッパを他の洗濯物と同時に洗濯機で洗うことに抵抗感がある人でも気軽に洗濯が行える。装着時にはスリッパに布の部分が固定されてズレにくくなっているので履きやすい。【０００９】  また、第二発明によれば、布の部分のみを独立させて製造することによって、利用者がその布の部分を複数所有できるようになり、いつでも交換ができるようになる。また、スリッパよりも体積が小さいので、洗濯などで履けなくなった時に必要な予備がスマートに収納できる。
【図面の簡単な説明】
【００１０】
【図１】本発明に係るスリッパと布の部分の斜視図である。
【図２】本発明に係るスリッパのうち、布の部分が装着されていないスリッパを示す斜視図である。
【図３】本発明に係るスリッパの実施例２を示した斜視図である。
【図４】従来技術を示す斜視図である。
【発明を実施するための形態】
【００１１】  この発明の実施形態を、図１及び図２に基づいて説明する。
第一発明については、前開きスリッパＡに存在する布の部分Ｂの着脱交換を可能にし、布の部分Ｂの形状は、中敷き２に加えてスリッパの甲４の裏面から表面にかけて包むように覆う形状３を持っていて、スリッパの履き口とつま先側の口をそれぞれ包むように覆った布の部分３をスリッパの甲４の表面でファスナーなどの留め具１を使用して固定することで、スリッパの甲４とそれを覆った布の部分３が密着した状態になってズレにくくなり、中敷き２もズレにくくなる。
また、第２発明については、前開きスリッパに適合する布の部分であり、第一発明に記載した布の部分と同様の形態である。
【実施例１】
【００１２】  布の部分を外して洗濯出来るスリッパなので、防水防汚効果があって適度に弾力があるＥＶＡ素材をスリッパに使用すると、手入れが楽で清潔さを保ちやすく軽く履き心地が良いスリッパになる。
布の部分だけの洗濯で肌に接する中敷きと甲の内側の汗の汚れを落とせるので、従来のようにスリッパ全体を洗うよりも乾きやすく、床の汚れが付着したスリッパを他の洗濯物と同時に洗濯機で洗うことに抵抗感がある人でも気軽に洗濯が行える。【００１３】  また、スリッパの甲の部分と布の部分とが密着した状態になってズレにくくなっているので、その２つが接する面に滑り止め加工を施すことや摩擦力が大きな素材を使用することによってさらにズレにくくさせることが出来る。
また、布の部分の色や素材などの種類を増やすことで、利用者がいつでも気分次第に交換が出来るようになるが、このことは従来だと複数のスリッパを所有することでしか出来なかったことである。そして、布の部分は場所を取らないのでスマートに収納できる。
【実施例２】
【００１４】  図１の実施形態では留め具がファスナーだが、図３のようにスナップボタンやホックなどの別の留め具を使用しても良い。
【符号の説明】
【００１５】Ａ  布の部分を着脱交換出来るスリッパ
Ｂ  布の部分
Ｃ  布の部分が装着されていないスリッパ
１  布の部分のうち、留め具
２  布の部分のうち、中敷き
３  布の部分のうち、スリッパの甲を包むように覆う部分
４  布の部分が装着されていないスリッパの甲
５  従来のスリッパの甲
６  従来のスリッパの内側の底
７  従来のスリッパの底裏
８  従来のスリッパの中敷き
【図１】
2019188102.tif 000003
【図２】
2019188102.tif 000004
【図３】
2019188102.tif 000005
【図４】
2019188102.tif 000006